【事件の表示】
　平成　４年特許願第２９１５７５号「塗布装置」拒絶査定不服審判事件〔平成　６年　６月１４日出願公開、特開平　６−１６５９５４〕について、次のとおり審決する。
【結　論】
　本件審判の請求は、成り立たない。
【理　由】
１．手続の経緯・本願発明
　本願は、平成４年１０月２９日（優先権主張平成４年９月２９日）の出願であって、その請求項１に係る発明は、平成１８年１月３０日付けの手続補正書によって補正された明細書及び図面の記載からみて、特許請求の範囲の請求項１に記載された次のとおりのものと認める。（以下、「本願発明」という。）
　
　「プリント基板に塗布された塗布剤を認識する認識機能を有する塗布装置に於いて、塗布動作中に塗布剤の塗布径を認識するための試し打ち塗布動作を行わせる条件として実塗布回数、実塗布時間及び基板枚数の条件データを記憶する情報記憶装置と、該条件データを同時に表示する選択画面を表示すると共に画面上で選択された該データを設定可能とするデータ入力装置と、該データ入力装置により設定されたデータに基づいて試し打ち塗布動作を行わせる制御装置とを設けたことを特徴とする塗布装置。」
　
２．引用例
２−１．引用例１
（１）これに対して、当審における、平成１７年１１月２２日付けで通知した拒絶の理由に引用した本願の優先権主張の日前である平成４年７月２０日に頒布された特開平４−１９９７７４号公報（以下、「引用例１」という。）には、図面とともに、次の事項が記載されている。
　
ア．「本発明は、プリント基板上に塗布ノズルで塗布剤を塗布する・・・塗布装置に関する。」（第１頁右下欄２〜４行）
　
イ．「
（１）は
塗布剤としての接着剤が塗布されるプリント基板
　（１６）は接着剤を吐出しプリント基板（１）上に該接着剤を塗布するノズルで、前記接着剤塗布ユニット（６）毎に塗布量の異なるノズル（１６）が準備されている。・・・。
　（２１）は各キー操作により各種データを生ずる操作部で、
各種データ設定用のキーボード（２２）
モニターテレビ（２５）
　
（２８）は塗布動作に関するＮＣデータを記憶する記憶装置としてのＲＡＭ
　・・・。
　
（３０）は塗布装置の総括的制御を行なう制御装置としてのＣＰＵ
　・・・。
　（３２）は・・・、（３４）は同じく各ノズル（１６）に対応して設けられノズル（１６）の使用時間を計時する使用タイマである。
　・・・。
　（３８）は各ノズル（１６）に対応して設けられ
各ノズルに（１６）により試し打ちされた接着剤の図示しない認識装置
試し打ちとは塗布量の認識を行なうために本塗布動作とは関係なく行なう塗布動作のことである。
　（４４）は各ノズル（１６）に対応して設けられ各ノズル（１６）による塗布回数を計数する塗布回数カウンタで、（４５）は・・・である。」（第２頁右上欄１１行〜第３頁右上欄１１行。以下同様に、下線は当審において付したものである。）
　
ウ．「以下、
各種データの設定動作について説明
　先ず、モニターテレビ（２５）の画面選択キー（２６）を押圧して、第３図に示すような装着データ（ＭＯＵＮＴ　ＤＡＴＡ）を映し出す。そして、キーボード（２２）のカーソル指示キー（２３）を使用して、図示しないカーソルをステップ（Ｍ−ＮＯ）１のプリント基板（１）上のＸ座標位置を示すＸデータ「０００００」の位置に移動させ、テンキー（２４）を押圧して所定数値を設定する。・・・。
　次に、画面選択キー（２６）を押圧して、第４図に示すような部品データ（ＰＡＲＴＳ　ＤＡＴＡ）を映し出す。・・・。先ず、Ｒデータ「００１」に対しては、・・・、塗布量データ（ＳＩＺＥ）には「０８０」（０．８ｍｍ）が設定され、塗布量許容範囲データ（ＴＯＬＥＲＡＮＳＥ　ＳＩＺＥ）には「０１０」（±０．１ｍｍ）が設定される。尚、
前記塗布量に関するデータは塗布された接着剤の直径
　・・・。
　次に、画面選択キー（２６）を押圧して、第７図に示すような認識データ（ＤＩＳＰＥＮＳＥ　ＲＥＣＯＧＮＩＴＩＯＮ　ＤＡＴＡ）を映し出す。このデータは、各ノズル（１６）に対する塗布量の認識に関するデータである。モード（ＭＯＤＥ）には、塗布量認識を行なわないのであれば「０」が設定され、そのノズル（１６）の塗布回数カウンタ（４４）による所定塗布回数経過後に塗布量認識を行なうのであれば「１」が設定され、そのノズルの使用タイマ（３４）による所定塗布時間経過後に塗布量認識を行なうのであれば「２」が設定され、前述の塗布回数カウンタ（４４）あるいは使用タイマ（３４）の各条件に基づき塗布量認識を行なうのであれば「３」が設定されている。
塗布回数（ＤＩＳＰＥＮＳＥ）には、塗布量認識を行なわせる目安となるそのノズル（１６）の塗布回数の限度回数が設定
時間（ＴＩＭＥ）には、塗布量認識を行なわせる目安となるそのノズル（１６）を使用して塗布を行なった塗布時間（ノズル（１６）毎に使用時間を積算して行なったもの）の限度時間が設定
　
エ．「また、順次塗布動作が行なわれて、以下各ノズル（１６）の塗布量の認識動作が行なわれる場合について説明する。
　各ステップに基づき本塗布動作が行なわれて、今度使用するノズル（１６）がＮＯＺＺＬＥ１のノズル（１６）である場合、第７図に示す認識データ（ＤＩＳＰＥＮＳＥ　ＲＥＣＯＧＮＩＴＩＯＮ　ＤＡＴＡ）のモード（ＭＯＤＥ）が「１」（即ち、設定塗布回数に達したら塗布量認識を行なう。）であるから、塗布回数カウンタ（４４）が該データ（ＤＩＳＰＥＮＳＥ　ＲＥＣＯＧＮＩＴＩＯＮ　ＤＡＴＡ）に設定された塗布回数（ＤＩＳＰＥＮＳＥ）の１０００回に達していたら、次の１００１回目（但し、１０００回に達したらカウンタ（４４）の内容はクリアされて１回となる。）の本塗布動作前に試し打ちが行なわれる。・・・。そして、その位置への試し打ちが行なわれたら、Ｘ軸駆動モータ（２）及びＹ軸駆動モータ（３）によりＸＹテーブル（４）を移動させて、プリント基板（１）の試し打ちされた接着剤の位置を認識装置の撮像領域に移動させて、該接着剤の塗布量を認識させる。この認識された塗布量と予めＲＡＭ（２８）内に記憶された設定塗布範囲とをＣＰＵ（３０）内の図示しない比較装置で比較し、その比較結果を基に図示しない判断装置は該塗布量が前記範囲内に入っているか否か判断する。・・・。
　次に、今度使用するノズル（１６）がＮＯＺＺＬＥ２のノズル（１６）である場合、モード（ＭＯＤＥ）が「２」（即ち、設定時間に達したら塗布量認識を行なう。）であるから、使用タイマ（３４）が時間（ＴＩＭＥ）の１０００〔ＳＥＣ〕（秒）に達したら、次の本塗布動作前に試し打ちが行なわれる。即ち、基板内試し打ちステップカウンタ（４０）で示されるステップ（Ｍ−ＮＯ）２７に設定された試し打ち位置に試し打ちが行なわれ、認識装置により塗布量が認識される。・・・。
　次に、今度使用するノズル（１６）がＮＯＺＺＬＥ３のノズル（１６）である場合、モード（ＭＯＤＥ）が「３」（即ち、設定塗布回数あるいは設定時間に達したら塗布量認識を行なう。）であるから、このときどちらかの条件に達したら、（設定塗布回数が８００回、設定時間が１２００〔ＳＥＣ〕（秒））次の本塗布動作前に試し打ちが行なわれる。即ち、基板内試し打ちステップカウンタ（４０）で示されるステップ（Ｍ−ＮＯ）２９に設定された試し打ち位置に試し打ちが行なわれ、認識装置により塗布量が認識される。・・・。
　次に今度使用されるノズル（１６）がＮＯＺＺＬＥ４のノズル（１６）である場合、モード（ＭＯＤＥ）が「０」（即ち、塗布量認識を行なわない。）であるから、塗布量認識は行なわれず、本塗布動作が続けられる。」（第６頁左上欄１４行〜第７頁左下欄１５行）
　
（２）引用例１記載の発明
　前記記載事項ア．〜エ．によると、引用例１には、「プリント基板（１）に塗布された塗布剤を認識する認識機能を有する塗布装置に於いて、塗布動作中に塗布剤の直径を認識するための試し打ち塗布動作を行わせる条件として塗布回数（ＤＩＳＰＥＮＳＥ）及び時間（ＴＩＭＥ）の条件データを記憶するＲＡＭ（２８）と、該条件データを同時に表示するモニターテレビ（２５）と、各種データ設定用のキーボード（２２）と、該条件データに基づいて試し打ち塗布動作を行わせるＣＰＵ（３０）とを設けた塗布装置。」の発明（以下、「引用例１記載の発明」という。）が記載されていると認められる。
　
２−２．引用例２
（１）同じく、当審における、平成１７年１１月２２日付けで通知した拒絶の理由に引用した本願の優先権主張の日前である平成１年５月２９日に頒布された特開平１−１３５５６１号公報（以下、「引用例２」という。）には、図面とともに、次の事項が記載されている。
　
カ．「本発明は、接着剤、クリーム状半田等の高粘性流体をプリント基板等の被塗布剤に塗布する装置に関するものであり、特に、その塗布量の制御精度の改善に関するものである。」（第１頁左下欄１５〜１８行）
　
キ．「本発明に係る高粘性流体塗布装置は、上記の問題を解決するために第１図に示されるように、（ａ）設定された塗布条件に従って高粘性流体を対象物に自動でスポット状に塗布する塗布手段と、（ｂ）塗布された高粘性流体の量を計測する計測手段と、（ｃ）その計測手段の計測結果に基づいて高粘性流体の塗布量が設定量となるように塗布条件を変更する塗布条件変更手段とを含むように構成される。」（第２頁左上欄１０〜１７行）
　
ク．「以上のように構成された接着剤塗布装置は、第７図に示されるコンピュータ１３０によって制御される。コンピュータ１３０は、ＣＰＵ（中央処理装置）１３２、ＲＯＭ（リードオンリメモリ）１３４、ＲＡＭ（ランダムアクセスメモリ）１３６を備えており、これらＣＰＵ１３２、ＲＯＭｌ３４、ＲＡＭ１３６にはＩ／Ｏポート１３８を介して、入力装置１４０、作動開始スイッチ１４２、停止スイッチ１４４、接着剤塗布装置の機構部に異常が発生した場合にその異常を報知する異常報知器１４６が接続されている。入力装置１４０は、接着剤の予備打ちの回数Ｎ１（本実施例においては３回）および位置、試し打ちの回数Ｎ２（本実施例においては３回）および位置、正規の塗布の位置および塗布箇所数Ｎ３、接着剤の基準塗布量（本実施例においては射出によりプリント基板に付着した接着剤の塊の平面視の外形面積で示される）、シリンジ９８への圧縮空気供給時間、予備打ちおよび
試し打ちを複数回行う場合の実施間隔
　予備打ちとは、シリンジ９８内の接着剤が硬化した場合に、その硬化した接着剤を取り除いて射出が正常に行われるようにするための射出であり、試し打ちとは、射出が正常に行われる状態において接着剤の塗布量を計測し、射出条件を設定するために行われる射出である。また、本実施例において予備打ちならびに試し打ちは、プリント基板上の電子部品固定位置から外れ、配線とは関係のない位置においてＸ軸方向と平行な一直線上に行うものとする。また、接着剤の予備打ち、試し打ち、正規の塗布の各位置は、プリント基板に設けられた基準マークを基準として設定されるＸＹ座標で表される。
　上記ＣＰＵ１３２、ＲＯＭ１３４、ＲＡＭ１３６には更に、サーボモータ駆動回路１５０、１５２、１５４、１５５、電磁方向切換弁制御回路１５６、カメラ駆動回路１５８を介してそれぞれ、Ｘ軸テーブル駆動用のサーボモータ１１、Ｙ軸テーブル駆動用のサーボモータ１８、昇降装置２８のサーボモータ５２、筒状部材回転用サーボモータ９６、電磁方向切換弁１２５、カメラ１２６、プリント基板搬入装置、位置決め支持装置、搬出装置等が接続されている。
　また、ＣＰＵ１３２にはタイマ１６４が設けられ、ＲＡＭ１３６には、予備打ち回数カウンタ１６６、試し打ち回数カウンタ１６８、正規塗布回数カウンタ１７０、Ｆ１〜Ｆ３フラグ１７２、１７４、１７６、予備打ち情報メモリ１８０、試し打ち情報メモリ１８２、正規塗布情報メモリ１８４、基準塗布量メモリ１８６、圧縮空気供給時間メモリ１８８、予備打ち・試し打ち実施回数メモリ１９０、予備打ち・試し打ち実施間隔メモリ１９２、停止時間メモリ１９４、試し打ちされた接着剤の外形面積を記憶する試し打ち面積メモリ１９６が設けられている。さらに、ＲＯＭ１３４には第８図にフローチャートで示されるプログラムが記憶されており、ＣＰＵ１３２はこのプログラムに従って接着剤の塗布を制御する。」（第４頁左下欄２０〜第５頁右上欄２０行）
　
ケ．「以下、第８図のフローチャートに基づいて接着剤の予備打ち、試し打ち、正規の塗布について説明する。
　装置への電源投入と同時にステップＳ１（以下、Ｓｌと略記する。他のステップについても同じ。）において、カウンタ１６６〜１７０の各カウント数Ｃ１〜Ｃ２を０とし、フラグ１７２〜１７６をリセットするとともに、１枚のプリント基板について行われる予備打ち・試し打ちの実施回数を示すカウント数ｎを０とする初期設定が行われ、Ｓ２において入力装置１４０による情報の入力が行われる。入力されたデータが所定のメモリ１８０〜１８８、１９２、１９４に記憶される。予備打ちの回数と射出位置とは共に予備打ち情報メモリ１８０に記憶されるものとする。試し打ち、正規の塗布についても同じであり、また、射出位置は射出の順に入力され、カウンタのカウント数は読み出すべき射出位置データを指定することとなる。カウント数０は、１番目の射出位置に関するデータを指定するのである。この入力が完了して、入力完了データが入力されればＳ３の判定結果がＹＥＳとなり、Ｓ４において基準マークの読取りが行われ、Ｓ５以下において、まず接着剤の予備打ちが行われる。
・・・
　そして、予備打ち、試し打ちが所定の回数ずつ行われ、圧縮空気供給時間が修正されたならば、正規の塗布が再開される。カウンタ１７０はリセットされていないため、中断前に塗布されていた次の位置から塗布が行われる。
　そして、１枚のプリント基板の電子部品固定箇所のすべてに接着剤が塗布されたならばＳ２４の判定結果がＹＥＳとなり、Ｓ２５において予定数のプリント基板に対する塗布作業が終了したか否かの判定が行われるが、当初はこの判定結果はＮＯである。そのためＳ２６においてＦ３フラグ１７６がリセットされ、Ｃ２、Ｃ３が０とされるとともに、予備打ち、試し打ち用のテーブル移動位置を指定するＸ座標の値が移動情報入力時の値に戻された後、Ｓ２７においてｎが０とされてプログラムの実行はＳ５に戻り、次に搬送されて来るプリント基板について試し打ち、正規の塗布が行われる。プリント基板１枚毎に試し打ちが行われるのである。」（第５頁右上欄２０〜第７頁右下欄１８行）
　
コ．「なお、上記実施例においては、
プリント基板１枚毎に試し打ちが行われるようになっていたが、複数枚毎に行うようにしてもよく
　また、試し打ちはプリント基板に限らず、試し打ち専用の部材など、別の部材に行うにようにしてもよい。」（第８頁左下欄３〜１０行）
　
（２）引用例２開示の技術
　ここで、上記記載事項２−２．（１）カ．〜コ．から次のことがわかる。
　
　接着剤、クリーム状半田等の高粘性流体をプリント基板等の被塗布剤に塗布する装置に関するものであり、設定された塗布条件に従って高粘性流体を対象物に自動でスポット状に塗布する塗布手段と、塗布された高粘性流体の量を計測する計測手段と、その計測手段の計測結果に基づいて高粘性流体の塗布量が設定量となるように塗布条件を変更する塗布条件変更手段とを含むように構成される。
　試し打ちとは、射出が正常に行われる状態において接着剤の塗布量を計測し、射出条件を設定するために行われる射出である。接着剤の塗布量を計測するものが上記計測手段である。
　プリント基板等の被塗布剤に塗布する装置は、ＣＰＵ１３２、ＲＡＭ１３６を含むコンピュータ１３０と、入力装置１４０を備えており、入力装置１４０は、予備打ちおよび試し打ちを複数回行う場合の実施間隔等を入力するためのものである。また、ＣＰＵ１３２にはタイマ１６４が設けられ、ＲＡＭ１３６には、予備打ち・試し打ち実施回数メモリ１９０、予備打ち・試し打ち実施間隔メモリ１９２、停止時間メモリ１９４、試し打ちされた接着剤の外形面積を記憶する試し打ち面積メモリ１９６が設けられている。
　第８図のフローチャートに基づく実施例において、Ｓ２において入力装置１４０による情報の入力が行われる。入力されたデータが所定のメモリ１８０〜１８８、１９２、１９４に記憶される。上記実施例においては、プリント基板１枚毎に試し打ちが行われるようになっていたが、複数枚毎に行うようにしてもよい。
　
　したがって、引用例２には、「プリント基板等の被塗布剤に塗布された接着剤、クリーム状半田等の高粘性流体の量を計測する計測手段を備えた塗布装置において、塗布動作中に高粘性流体の量を計測するための試し打ち塗布動作を行わせる条件として基板枚数の条件データを記憶する」技術（以下、「引用例２開示の技術」という。）が記載されていると認められる。
　
２−３．引用例３
　同じく、当審における、平成１７年１１月２２日付けで通知した拒絶の理由に引用した本願の優先権主張の日前である平成３年３月７日に頒布された実願平１−８１６９３号（実開平３−２２２９６号）のマイクロフィルム（以下、「引用例３」という。）には、図面とともに、次の事項が記載されている。
　
タ．「本考案は、ＣＲＴ（カソードレイチューブ）等の画面上に配置された操作キー部（操作部）を指で触れることにより操作信号を入力する、タッチパネル式操作装置に関する。」（明細書第１頁１６〜１９行）
　
チ．「さて、通常は上のように通常操作モードで使用するのであるが、現状の操作キー部２１〜３１の操作項目を変更したいと思った場合（最初の操作項目の設定も含む）、言い換えれば、操作スイッチの配置を変更したいと思った場合は、次の手順で操作する。
　すなわち、まず操作項目設定モードに切り換える。・・・。
　この操作項目設定モード画面には、操作キー部２１〜３１の配置及び現在設定されている各操作項目の内容を示すポジション画面と、登録可能な操作項目等を示すメニュー画面と、が同時に表示される。このメニュー画面中には、操作項目の目録（この場合Ａ〜Ｋの操作項目、及び設定無しの場合の項目「−」）、並びにＭＥＮＵキー３５、ＮＥＸＴキー３６が表示される。
　そして、何も操作しない状態のときには、ポジション画面内においては、ポジションカーソルＰＣＳがＮＯ．１の操作キー部２１の上に点灯し、メニュー画面においては、同操作キー部２１に対し現在登録されている操作項目Ｂの上にメニューカーソルＭＣＳが点灯する。
　この状態から、「ＭＥＮＵ」キー３５ないしは「ＮＥＸＴ」キー３６を指で押しながら、操作項目を登録していく。以下、その操作の仕方と作動の手順を詳述する。
　操作項目設定モード画面において、表示画面１３Ａ上の「ＭＥＮＵ」キー３５に指を触れると、タッチパネル１４から同操作に対応する信号がＣＰＵ１０に入力される。そして、ステップ１０６の判断がＹＥＳとなって、ポジションカーソルＰＣＳの点灯している操作キー部２１〜３１について、メニューカーソルＭＣＳが点灯している操作項目が登録され、その内容がＲＡＭ１７に更新記憶される（ステップ１０８）。
　そして、ポジション画面上の該当する操作キー部２１〜３１に、新たに登録された操作項目Ａ〜Ｋの内容が表示される（ステップ１０９）。担当する操作項目が無しの場合は無表示となる。また同時に、ポジションカーソルＰＣＳが次に移動する（ステップ１１０）。メニュー画面上のメニューカーソルＭＣＳを移動したい場合は、「ＮＥＸＴ」キー３６に指を触れる。それによりステップ１１１の判断がＹＥＳとなってメニューカーソルＭＣＳが次に移動する（ステップ１１２）。
　以上のように、ポジションカーソルＰＣＳの点灯する各操作キー部２１〜３１について、「ＮＥＸＴ］キー３６を操作しながら登録したい操作項目を選択し、選択したところで「ＭＥＮＵ」キー３５を操作することにより、操作項目を登録する。操作項目を変更しない場合は、単に「ＭＥＮＵ」キー３５を操作すればよい。
　そして、ＮＯ．１の操作キー部２１から順に操作項目を登録していき、最後のＮＯ．１１の操作キー部３１の登録が終了したら、ステップ１１３の判断がＹＥＳとなり、次のステップ１１４に進む。・・・。
　このように、上記操作装置によれば、ユーザーが各操作キー部２１〜３１に対して、自分の好みの操作項目を自由に登録することができる。
　なお、上記装置を車両用空気調和装置に適用した場合は、操作項目のメニューとしては例えば、ＡＵＴＯ、ＥＣＯＮ、ＦＡＮ、ＤＥＦ等が考えられる。」（明細書第７頁６行〜第１１頁９行）
　
３．対比
　本願発明と引用例１記載の発明を対比すると、引用例１記載の発明の「塗布剤の直径」は、その技術的意義からみて、本願発明の「塗布剤の塗布径」に相当し、以下同様に、「塗布回数（ＤＩＳＰＥＮＳＥ）」は「実塗布回数」に、「時間（ＴＩＭＥ）」は「実塗布時間」に、「ＲＡＭ（２８）」は「情報記憶装置」に、「ＣＰＵ（３０）」は「制御装置」に、それぞれ、相当する。
　
　してみると、両者は、「プリント基板に塗布された塗布剤を認識する認識機能を有する塗布装置に於いて、塗布動作中に塗布剤の塗布径を認識するための試し打ち塗布動作を行わせる条件として実塗布回数及び実塗布時間の条件データを記憶する情報記憶装置と、該条件データに基づいて試し打ち塗布動作を行わせる制御装置とを設けた塗布装置。」の点で一致し、次の点１、２で相違する。
　
［相違点１］
　情報記憶装置に記憶する条件データが、本願発明においては、実塗布回数、実塗布時間及び基板枚数であるのに対し、引用例１記載の発明においては、実塗布回数及び実塗布時間である点。
　
［相違点２］
　本願発明においては、条件データを同時に表示する選択画面を表示すると共に画面上で選択された該データを設定可能とするデータ入力装置を設け、該データ入力装置により設定されたデータに基づいて試し打ち塗布動作を行わせるのに対し、引用例１記載の発明においては、条件データを同時に表示するモニターテレビ（２５）と、各種データ設定用のキーボード（２２）とを設け、該条件データに基づいて試し打ち塗布動作を行わせる点（各種データ設定用のキーボード（２２）により条件データを設定しているのか否かは明らかでない。）。
　
４．当審の判断
　前記［相違点１］［相違点２］について検討する。
（１）［相違点１］について
　引用例２には、プリント基板に塗布された接着剤、クリーム状半田等の高粘性流体の量を計測する計測手段を備えた塗布装置において、塗布動作中に高粘性流体の量を計測するための試し打ち塗布動作を行わせる条件として基板枚数の条件データを記憶する技術が開示されている。
　そうすると、引用例１記載の発明において、引用例２開示の技術を勘案して、前記［相違点１］に係る本願発明のような構成とすることは、当業者が格別困難なく想到し得るものと認められる。
　
（２）［相違点２］について
　先ず、引用例１記載の発明において、各種データ設定用のキーボード（２２）により条件データ［実塗布回数、実塗布時間（塗布回数（ＤＩＳＰＥＮＳＥ）、時間（ＴＩＭＥ））］を設定しているのか否かについて検討する。
　
　引用例１の前記記載事項ウ．には、各種データの設定動作として、装着データ（ＭＯＵＮＴ　ＤＡＴＡ）の設定動作、条件データ［実塗布回数、実塗布時間（塗布回数（ＤＩＳＰＥＮＳＥ）、時間（ＴＩＭＥ））］を含む認識データ（ＤＩＳＰＥＮＳＥ　ＲＥＣＯＧＮＩＴＩＯＮ　ＤＡＴＡ）の設定動作に関しての説明がなされている。そして、装着データ（ＭＯＵＮＴ　ＤＡＴＡ）の設定動作の説明には、具体的なデータの設定動作に関して、「先ず、モニターテレビ（２５）の画面選択キー（２６）を押圧して、第３図に示すような装着データ（ＭＯＵＮＴ　ＤＡＴＡ）を映し出す。そして、キーボード（２２）のカーソル指示キー（２３）を使用して、図示しないカーソルをステップ（Ｍ−ＮＯ）１のプリント基板（１）上のＸ座標位置を示すＸデータ「０００００」の位置に移動させ、テンキー（２４）を押圧して所定数値を設定する。」との記載がある。当該記載によると、Ｘ座標位置を示すＸデータなどの装着データ（ＭＯＵＮＴ　ＤＡＴＡ）の設定はキーボード（２２）を使用して行われるものである。
　また、同じく前記記載事項ウ．には、「塗布回数（ＤＩＳＰＥＮＳＥ）には、塗布量認識を行なわせる目安となるそのノズル（１６）の塗布回数の限度回数が設定されている。時間（ＴＩＭＥ）には、塗布量認識を行なわせる目安となるそのノズル（１６）を使用して塗布を行なった塗布時間（ノズル（１６）毎に使用時間を積算して行なったもの）の限度時間が設定されている。」なる記載、及び「尚、ＮＯＺＺＬＥ４のノズル（１６）は、塗布量認識が行なわれないため、塗布回数（ＤＩＳＰＥＮＳＥ）、時間（ＴＩＭＥ）、・・・には零が設定されている。尚、この場合零以外の数値が設定されていても、その数値は読み込まれない。」なる記載がある。当該記載は、条件データ［実塗布回数、実塗布時間（塗布回数（ＤＩＳＰＥＮＳＥ）、時間（ＴＩＭＥ））］の設定を任意に行うこと、すなわち、何らかの時期に入力装置が介在して入力が行われているものといえる。そうすると、引用例１記載の発明において、条件データ（実塗布回数、実塗布時間）の設定は、キーボード（２２）を使用して行われているものといえる。
　また、仮にそうでないとしても、引用例１記載の発明の塗布装置において、試し打ち実施間隔を入力することは、引用例２の前記記載事項ク．に開示の技術から当業者が容易になしえたことにすぎない。（なお、試し打ち実施間隔を入力装置により入力することは、特開平４−２４４２５８号公報の段落００２０等において他にも知られている。）
　
　以上のことを踏まえて、引用例１記載の発明において、条件データの設定をキーボード（２２）により行うのに代えて、データ入力装置により行うようにすることの容易想到性について検討する。
　引用例３には、前記記載事項タ．、チ．によると、ＣＲＴ（カソードレイチューブ）等の画面上に配置された操作キー部（操作部）を指で触れることにより操作信号を入力する、タッチパネル式操作装置において、操作キー部２１〜３１の配置及び現在設定されている各操作項目の内容を示すポジション画面と、登録可能な操作項目等を示すメニュー画面と、が同時に表示される操作項目設定モード画面を表示し、ポジションカーソルＰＣＳの点灯する各操作キー部２１〜３１について、「ＮＥＸＴ」キー３６を操作しながら登録したい操作項目を選択し、選択したところで「ＭＥＮＵ」キー３５を操作することにより、操作項目を登録する技術、すなわち、「操作項目の設定を画面上で行う」技術思想が開示されている。
　そうすると、条件データ（実塗布回数、実塗布時間）の設定をキーボード（２２）により行う引用例１記載の発明において、引用例３記載の前記技術思想を勘案して、前記［相違点１］に係る本願発明のような構成とする際に、前記［相違点２］に係る本願発明のような構成とすることは、当業者が格別困難なく想到し得るものと認められる。
　
　また、本願発明の効果についてみても、引用例１記載の発明、引用例２開示の技術、引用例３開示の技術思想から当業者が予測し得る程度のものと認められる。
　
５．むすび
　したがって、本願発明は、引用例１記載の発明、引用例２開示の技術、引用例３開示の技術思想に基づいて当業者が容易に発明をすることができたものであるから、特許法第２９条第２項の規定により特許を受けることができない。
　よって、結論のとおり審決する。